(57)【要約】【課題】段ボール材で構成される梱包箱において、保管中や輸送中などに雨水等によって濡れた場合には、段ボール材がその後に乾いたとしても、水に濡れた履歴のあることが分かるようにする。【解決手段】段ボール材の表面に水溶紙６の一部を接着剤７ａ，７ｂ，７ｃで貼着する。そして水溶紙６の、貼着されていない部分の状態によって段ボール材に水が掛かったかどうかを検知する。ここで、保管中や輸送中に梱包箱から水溶紙６が外れたり破れたりするのを防止するためには、段ボール材の内表面に水溶紙６を貼着するのが好ましい。【選択図】図３
2007246112.tif 000002
【特許請求の範囲】
【請求項１】
主として段ボール材で構成される梱包箱であって、段ボール材の表面に水溶紙の一部が貼着され、貼着されていない部分の水溶紙の状態によって段ボール材に水が掛かったかどうかを検知できることを特徴とする梱包箱。
【請求項２】
段ボール材の内表面に水溶紙が貼着されている請求項１記載の梱包箱。
【発明の詳細な説明】
【技術分野】
【０００１】
本発明は梱包箱に関し、より詳細には保管・輸送中に雨水などが掛かったかどうかを検知できる梱包箱に関するものである。
【背景技術】
【０００２】
近年、精密機器や電子機器などの製品の梱包材として段ボール材が広く用いられている。段ボール材を用いた梱包箱は折り畳み可能で、また軽量であるという利点があるが、水に弱いという問題がある。
【０００３】
保管中や輸送中などに雨水などによって段ボール材が濡れると、内部に水が浸透して被梱包物である製品に重大な支障を与えるおそれがある。例えば被梱包物が電気製品の場合には短絡などの問題を引き起こすおそれがある。一方、段ボール材自体は雨水などによって一旦濡れても、その後乾くと元の状態に戻り、梱包箱の外観に雨水などの水が掛かった痕跡が残らない。このため、梱包箱に水が掛かっていたことが分からずに、被梱包物の品質等の確認を行うことなく、そのまま出荷されてしまうことがあった。
【特許文献１】特開２０００−１７０１００号公報
【発明の開示】
【発明が解決しようとする課題】
【０００４】
そこで本発明は、このような従来の問題に鑑みてなされたものであり、その目的とするところは、段ボール材で構成される梱包箱において、保管中や輸送中などに雨水等によって濡れた場合には、段ボール材がその後に乾いたとしても、水に濡れた履歴のあることが分かるようにすることにある。
【課題を解決するための手段】
【０００５】
本発明によれば、主として段ボール材で構成される梱包箱であって、段ボール材の表面に水溶紙の一部が貼着され、貼着されていない部分の水溶紙の状態によって段ボール材に水が掛かったかどうかを検知できることを特徴とする梱包箱が提供される。なお、本明細書において水溶紙とは、JIS P4501で規定される”ほぐれやすさ”が１００秒以内である紙をいうものとする。
【０００６】
ここで、保管中や輸送中に梱包箱から水溶紙が外れたり破れたりするのを防止するためには、段ボール材の内表面に水溶紙を貼着するのが好ましい。
【発明の効果】
【０００７】
本発明の梱包箱では、段ボール材の表面に水溶紙の一部を貼着しているので、たとえ段ボール材が水に濡れた後に乾いたとしても、貼着されていない部分の水溶紙の状態によって、段ボール材が水に濡れた履歴のあることが確実にわかるようになる。これにより、水が掛かった梱包箱については被梱包物の品質確認を漏れなく行うことができるようになり、出荷される被梱包物の品質安定が図れるようになる。
【０００８】
段ボール材の内表面に水溶紙を貼着すると、保管中や輸送中に梱包箱から水溶紙が外れたり破れたりするのを確実に防止できるようになる。
【発明を実施するための最良の形態】
【０００９】
以下、本発明に係る梱包箱について図に基づいて説明するが、本発明はこれらの実施形態に何ら限定されるものではない。
【００１０】
図１に、本発明に係る梱包箱の一実施形態を示す展開図、図２にその組立図をそれぞれ示す。図１に示すように梱包箱は、打ち抜かれた１枚の段ボール紙からなり、箱本体１の側面を構成する４つの側面１１，１２，１３，１４が折り曲げ線２ａ，２ｂ，２ｃを介して連設されている。そして、対向する一対の側面１１，１３の下端に、折り曲げ線２ｄ，２ｆを介して底面フラップ３１ａ，３１ｂが連設され、他の対向する一対の側面１２，１４の下端には、折り曲げ線２ｅ，２ｇを介して補助フラップ３２ａ，３２ｂが連設されている。側面１１，１３の上端には折り曲げ線２ｈ，２ｊを介して上面フラップ４１ａ，４１ｂが形成され、側面１２，１４の上端には折り曲げ線２ｉ，２ｋを介して補助フラップ４２ａ，４２ｂが形成されている。そして、側面１１の側端には折り曲げ線２ｍを介して糊代部５が形成されている。この糊代部５を側面１４の側端と不図示の接着剤によって接合させることによって箱本体１は組み立てられる（図２を参照）。
【００１１】
底面フラップ３１ａ，３１ｂ及び上面フラップ４１ａ，４１ｂの表面側、そして補助フラップ３２ａ，３２ｂ及び補助フラップ４２ａ，４２ｂの裏面側には、それぞれ水溶紙６ａ〜６ｈが不図示の接着剤で貼着されている。ここで重要なことは、水溶紙の一部を箱本体１に貼着しているということである。本発明で使用する水溶紙は、水に濡れると、紙を構成している繊維素材が解れて外観上溶けたような状態となる。しかし、水溶紙の全面を箱本体１に貼着すると、水に濡れても繊維素材が解れなくなり、目視による外観上の変化がわかりにくくなる。そこで本発明では、水溶紙の一部を箱本体１に貼着することとし、貼着されていない部分の水溶紙の状態を観察することによって、箱本体１に水が掛かった履歴があるかどうか検知できるようにした。これにより、多量の水が掛かった場合はもちろんのこと、わずかな水が掛かった場合であっても、貼着されていない部分の繊維素材の織りが変化して、外観上シワが寄った状態となるので、水が掛かったことが容易に判断できるようになる。
【００１２】
図３に、水溶紙６の箱本体１への貼着例を示す斜視図を示す。図３の梱包箱では、箱本体１の上面フラップ４１ａの内面側に細長い形状の水溶紙６が、その両端部および中間部を接着剤７ａ，７ｂ，７ｃによって取り付けられている（同図（ａ））。このような梱包箱が、例えば降雨によって濡れた場合には、上面フラップ４１ａを浸透してきた雨水によって、水溶紙６の、貼着されていない部分が溶けて流れ落ちる（同図（ｂ））。これにより、その後に上面フラップ４１ａが乾いて元の状態に戻ったとしても、水溶紙６の状態を見れば、梱包箱が水に掛かったことがはっきりとわかるようになる。
【００１３】
本発明で使用する水溶紙６の形状は、箱本体１の形状や使用状態などを考慮して、水に濡れやすい部分に貼着できる形状とするのが好ましい。また水溶紙６の貼着位置は、当然ながら水に濡れやすいと考えられる部分に貼着するのがよい。
【００１４】
水溶紙６の箱本体１への取り付けは、接着剤による貼着の他、粘着テープによる貼着であっても構わない。また、貼着部分は水溶紙６の一部であれば特に限定はないが、水溶紙６が四角形状の場合には、水溶紙６の向かい合う２辺を貼着するのが好ましい。水溶紙６の１辺のみを貼着すると、箱本体１の組立時や被梱包物の梱包時に水溶紙６の自由端側がはためき、水溶紙６が外れたり破れたりするおそれがある。反対に水溶紙６の３辺又は４辺を貼着すると、水溶紙６の外れや破損は抑えられるものの、水に濡れたときに水溶紙６の繊維素材が解れ難くなって、水に濡れたかどうかの外観判断が難しくなるおそれがあるからである。もちろん、水溶紙６の形状が細長い場合は、図３に示したように、向かい合う２辺の他、必要により中間部を貼着しても構わない。
【００１５】
本発明で使用する水溶紙は、JIS P4501で規定される”ほぐれやすさ”が１００秒以内であるものであれば特に限定はない。このような水溶紙は例えば次のようにして作製される。繊維長が０．１〜５ｍｍ程度の木材パルプ繊維や非木材系パルプ繊維に、高級脂肪酸や高級アルキルアミン塩、カチオン性高級脂肪酸などの疎水性低分子化合物を添加してスラリーとし、これを抄紙機によって抄紙して基紙を作製する。この基紙に必要により、ポリビニルアルコールやカルボキシアルキルセルロース塩などの水溶性高分子を塗工して水溶紙とする。このような水溶紙で市販されているものとしては三島製紙社製「ＭＤＰ」などが例示される。
【実施例】
【００１６】
（実施例１）
市販のトイレットペーパを用いて次の実験を行った。トイレットペーパを約２０ｃｍの長さに切断し、その両端部に約３ｃｍ幅で帯状に接着剤を塗布して段ボール紙に貼着した。そして、市販のじょうろを用いてトイレットペーパに水を散布した後、段ボール紙およびトイレットペーパを室温で乾燥させた。その後、トイレットペーパの状態を目視により観察した。水の散布量が少なかったため、トイレットペーパの、貼着されていない部分が溶けて無くなることはなかったが、トイレットペーパに無数のシワが寄っており、水に濡れたことは容易にわかった。
【００１７】
（比較例１）
実施例１と同じトイレットペーパを約２０ｃｍの長さに切断し、その全面に接着剤を塗布して段ボール紙に貼着した。そして、市販のじょうろを用いてトイレットペーパに水を散布した後、段ボール紙およびトイレットペーパを室温で乾燥させた。その後、トイレットペーパの状態を目視により観察したところ、トイレットペーパの状態に特別の変化は見られなかった。
【００１８】
以上の実験結果から、水溶紙の一部を段ボール材に貼着し、水溶紙の、貼着していない部分の状態を観察すれば、段ボール材が水に濡れた履歴を有するかどうか容易に判断できることがわかる。
【図面の簡単な説明】
【００１９】
【図１】本発明に係る梱包箱の一実施形態を示す展開図である。
【図２】図１の梱包箱の組立後の斜視図である。
【図３】水溶紙の箱本体への貼着例を示す斜視図である。
【符号の説明】
【００２０】
１    箱本体
６    水溶紙
６ａ〜６ｈ    水溶紙
７ａ，７ｂ，７ｃ    接着剤
【図１】
2007246112.tif 000003
【図２】
2007246112.tif 000004
【図３】
2007246112.tif 000005